(57)【要約】      （修正有）【課題】亀頭における感度を保ちながらも早漏を防止する男性器装着具を提供する。【解決手段】男性器Ｚに装着される男性器装着具１００であって、概略筒形状をなすものであり、男性器Ｚの亀頭部Ｚ１を外部に露出させた状態で陰茎部Ｚ２の外側周面に装着されて陰茎部Ｚ２を圧迫することを特徴とする。【選択図】図１
2014018629.tif 000002
【特許請求の範囲】
【請求項１】
男性器に装着される男性器装着具であって、
前記男性器の亀頭部を外部に露出させた状態で陰茎部の外側周面に装着されて当該陰茎部を圧迫することを特徴とする男性器装着具。
【請求項２】
前記陰茎部の外側周面に装着される概略筒形状をなすものである請求項１記載の男性器装着具。
【請求項３】
軸方向両端部が開口した切頭円錐形状をなすものである請求項２記載の男性器装着具。
【請求項４】
前記陰茎部への装着時又は前記陰茎部から取り外す時に摘んで装着又は取り外しを補助する摘み部が形成されている請求項２又は３記載の男性器装着具。
【請求項５】
平面状に展開可能に構成されており、展開された状態の対向辺部同士を着脱させる着脱機構を有しており、当該着脱機構により対向辺部同士が接着されることで、前記陰茎部の外側周面に装着されて当該陰茎部を圧迫するものである請求項１記載の男性器装着具。
【請求項６】
平板状の弾性部材により形成されている請求項５記載の男性器装着具。
【請求項７】
前記着脱機構が、前記対向辺部の一方に設けられた凹部と、前記対向辺部の他方に設けられて前記凹部に嵌合する凸部とから構成される請求項５又は６記載の男性器装着具。
【請求項８】
装着時に外側周面となる面の略全体に凸部が形成されている請求項５、６又は７記載の男性器装着具。
【請求項９】
前記着脱機構が、面ファスナーである請求項５又は６記載の男性器装着具。
【発明の詳細な説明】
【技術分野】
【０００１】  本発明は、早漏を好適に防止するための男性器装着具に関するものである。
【背景技術】
【０００２】  従来、早漏を防止するための方法としては、（１）早漏防止薬を飲む、（２）コンドームを２重に装着する、（３）前戯を長くして女性を満足させて挿入時間を短くする、（４）射精する前に途中で男性器（ペニス）を抜く、等が考えられる。【０００３】  ところが、上記（１）の場合には、薬の副作用による使用者に不安感を与えてしまうだけでなく、お金がかかってしまうという問題がある。上記（２）の場合には、感度が落ちてしまい気持ち良くなく、また装着する作業が大変であり、挿入する前に萎える可能性もある。さらに、コンドーム代が２倍掛かってしまう。上記（３）の場合には、前戯だけで疲れてしまい、性行為自体が面倒になってしまう。上記（４）の場合には、性行為が継続できず、性的快感が断続的になってしまい、途中で男性器が萎えてしまう恐れもある。【０００４】  なお、コンドーム自体の形状を工夫することで、早漏を防止するものとしては、特許文献１に示すものが考えられている。ところが、亀頭部を覆っているため、感度が悪くなってしまうという問題がある。
【先行技術文献】
【特許文献】
【０００５】
【特許文献１】  特開２００４−３０５５３４号公報
【発明の概要】
【発明が解決しようとする課題】
【０００６】  そこで本発明は、上記問題点を一挙に解決すべくなされたものであり、亀頭における感度を保ちながらも、早漏を防止することをその主たる所期課題とするものである。
【課題を解決するための手段】
【０００７】  そこで本発明に係る男性器装着具は、男性器に装着される男性器装着具であって、概略筒形状をなすものであり、前記男性器の亀頭部を外部に露出させた状態で陰茎部の外側周面に装着されて当該陰茎部を圧迫することを特徴とする。【０００８】  このようなものであれば、男性器の亀頭部を外部に露出させた状態で陰茎部の外側周面に装着されて当該陰茎部を圧迫するので、亀頭における感度を保ちつつ、早漏を防止することができる。また、薬や潤滑剤を使用する必要がないため、副作用の心配がなく人体にとって安全である。【０００９】  具体的な形状としては、軸方向両端部が開口した円筒形状をなすものであることが考えられる。また、軸方向両端部が開口した切頭円錐形状をなすものであることが考えられる。【００１０】  男性器装着具の陰茎部への装着又は取り外しを容易に行うためには、前記陰茎部への装着時又は前記陰茎部から取り外す時に摘んで装着又は取り外しを補助する摘み部が形成されていることが望ましい。【００１１】  種々の陰茎部の太さに対応可能にする又は任意に圧迫力を調整できるようにするためには、平面状に展開可能に構成されており、展開された状態の対向辺部同士を着脱させる着脱機構を有しており、当該着脱機構により対向辺部同士が接着されることで、前記陰茎部の外側周面に装着されて当該陰茎部を圧迫するものであることが望ましい。【００１２】  着脱機構により展開可能に構成される具体例としては、平板状の弾性部材により形成されていることが望ましい。【００１３】  前記着脱機構が、前記対向辺部の一方に設けられた凹部と、前記対向辺部の他方に設けられて前記凹部に嵌合する凸部とから構成されることが望ましい。【００１４】  展開された状態の対向辺部の他、装着時に外側周面となる面の略全体に凸部が形成されていることが望ましい。これならば、凸部で女性の感度を向上させることができる。【００１５】  着脱機構の構成を簡単化するためには、前記着脱機構が、面ファスナーであることが望ましい。
【発明の効果】
【００１６】  このように本発明によれば、亀頭における感度を保ちながらも、早漏を防止することができる。
【図面の簡単な説明】
【００１７】
【図１】男性器装着具の装着状態を示す側面図。
【図２】男性器装着具の構成を示す断面図。
【図３】男性器装着具の変形例を示す側面図。
【図４】男性器装着具の変形例を示す側面図。
【図５】摘み部の変形例を示す側面図。
【図６】展開した状態の男性器装着具を示す断面図。
【発明を実施するための形態】
【００１８】  以下に本発明に係る男性器装着具の一実施形態について図面を参照して説明する。
【００１９】  本実施形態に係る男性器装着具１００は、図１に示すように、男性器Ｚの亀頭部Ｚ１を外部に露出させた状態で陰茎部Ｚ２の外側周面に装着されて当該陰茎部Ｚ２を圧迫するものである。
【００２０】  具体的にこの男性器装着具１００は、ラテックスなどの天然ゴム、ポリウレタンなどの合成ゴムから形成されるものであり、陰茎部Ｚ２の外側周面に装着される概略筒形状をなすものである。より詳細には、男性器装着具１００は、図２に示すように、概略円筒形状をなすものである。
【００２１】  この男性器装着具１００は、１回使用した後の廃棄される使い捨てタイプとしてもよいし、１回毎に洗浄して複数回の使用が可能な洗浄タイプのものとしてもよい。
【００２２】  このように構成した本実施形態に係る男性器装着具１００によれば、男性器Ｚの亀頭部Ｚ１を外部に露出させた状態で陰茎部Ｚ２の外側周面に装着されて当該陰茎部Ｚ２を圧迫するので、亀頭部Ｚ１における感度を保ちつつ、早漏を防止することができる。また、薬や潤滑剤を使用する必要がないため、副作用の心配がなく人体にとって安全である。
【００２３】  なお、本発明は前記実施形態に限られるものではない。
【００２４】  例えば、図３に示すように、男性器装着具１００を軸方向両端部が開口した切頭円錐形状をなすものとしてもよい。これならば、陰茎部Ｚ２における亀頭部Ｚ１側を根元部側よりも圧迫することができ、より一層早漏を防止することができる。
【００２５】  また、図４に示すように、陰茎部Ｚ２への装着時又は前記陰茎部Ｚ２から取り外す時に摘んで装着又は取り外しを補助する摘み部１０１を有するものとすることが考えられる。具体的に摘み部１０１は、男性器装着具１００における少なくとも軸方向一端部１００ａ（装着時において根元部側にある部分）において、１つ以上設けることが考えられる。複数の摘み部１０１を設ける場合には、周方向に例えば等間隔に設ける。これならば、男性器装着具１００を男性器Ｚに装着する際に、前記摘み部１０１を摘まみながら男性器Ｚの根元部側に引っ張るように装着する。また、男性器Ｚから男性器装着具１００を取り外す際に、前記摘み部Ｚを摘まみながら亀頭部Ｚ１側に引っ張るように取り外す。このように摘み部１０１を設けることで、男性器装着具１００の取り付け、取り外しを容易にすることができる。また、男性器装着具１００が爪等によって破損してしまうことを防止することができる。
【００２６】  さらに、摘み部を男性器装着具１００の外側周面において軸方向に沿って一端部から他端部に亘って設けてもよい（図５（Ａ）参照）。或いは、軸方向一端部１００ａ及び軸方向他端部１００ｂの両方に設けてもよい（図５（Ｂ）参照）。これならば、男性器装着具１００の装着方向が規定されてないものにおいて、いずれの向きからも用意に装着することができ、またその取り外しも容易となる。
【００２７】  その上、図６に示すように、男性器装着具１００が平面状に展開可能に構成されて、展開された状態の対向辺部１０２、１０３同士を着脱させる着脱機構１０４を有しており、当該着脱機構１０４により対向辺部１０２、１０３同士が接着されることで、前記陰茎部Ｚ２の外側周面に装着されて当該陰茎部Ｚ２を圧迫するものとすることが考えられる。
【００２８】  具体的に男性器装着具１００は、一枚に展開可能に構成されており、平板状の弾性部材により形成されている。また、着脱機構１０４は、対向辺部１０２、１０３の一方に設けられた凹部１０５と、対向辺部１０２、１０３の他方に設けられて凹部１０５に嵌合する凸部１０６とから構成される。具体的には、平板状の弾性部材の略全体に亘って凹部１０５及び凸部１０６が形成されることによって、前記着脱機構１０４が構成されている。より詳細には、凹部１０５は、弾性部材の一方の面全体に形成され、凸部１０６は、弾性部材の他方の面全体に形成される。なお、凹部１０５は、貫通した孔により構成されてもよい。この男性器装着具１００の装着方法は、陰茎部Ｚ２に展開状態の男性器装着具１００を巻き付けて、着脱機構１０４の凹部１０５及び凸部１０６を嵌め合わせることによって装着する。これならば、種々の陰茎部Ｚ２の太さに対応可能にする又は任意に圧迫力を調整できるようにする。そして、このとき、男性器装着具１００の外側周面に凸部１０６が位置するようにする。これならば、凸部１０６で女性の感度を向上させることができる。前記着脱機構１０４としては、面ファスナーを用いてもよい。
【００２９】  その他、本発明は前記実施形態に限られず、その趣旨を逸脱しない範囲で種々の変形が可能であるのは言うまでもない。
【符号の説明】
【００３０】Ｚ・・・男性器
Ｚ１・・・亀頭部
Ｚ２・・・陰茎部
１００・・・男性器装着具
１０１・・・摘み部
１０２・・・対向辺部
１０３・・・対向辺部
１０４・・・着脱機構
１０５・・・凹部
１０６・・・凸部
【図１】
2014018629.tif 000003
【図２】
2014018629.tif 000004
【図３】
2014018629.tif 000005
【図４】
2014018629.tif 000006
【図５】
2014018629.tif 000007
【図６】
2014018629.tif 000008